(57)【要約】【課題】アップリンク通信時にアクセスユーザの周波数オフセットを制御する直交周波数分割多重接続システム及び周波数オフセット制御方法を提供する。【解決手段】各加入者局が有するキャリア周波数オフセットがアップリンク時に誘発される性能低下の問題点を解決するために、ダウンリンク時と同様に、基地局から提供される周波数オフセット制御信号に応答し、それぞれの加入者局で自体の周波数オフセットを補償した後にアップリンクフレームを基地局に伝送する直交周波数分割多重接続システムである。該基地局は、各加入者局で一次的に自体周波数オフセットを補償し、周波数オフセットシフト程度が小さなアップリンクフレームで二次的に平均周波数オフセットを補償するために、アップリンク時に各ＳＳの周波数オフセットが正確に補償されて相互キャリア干渉現象が防止される。【選択図】図６
2006020320.tif 000002
【特許請求の範囲】
【請求項１】
基地局に送信するデータの自体周波数オフセットを補償し、前記基地局にアップリンクフレームを伝送する複数の加入者局と、
前記加入者局から伝送された前記アップリンクフレームの周波数オフセットを平均した中間周波数オフセットを前記アップリンクフレームに補償する前記基地局とを備えることを特徴とするＯＦＤＭＡシステム。
【請求項２】
前記加入者局は、
前記基地局から伝送されたダウンリンクフレームに含まれた周波数オフセット制御信号に応答し、前記アップリンクフレームに前記自体周波数オフセットを補償することを特徴とする請求項１に記載のＯＦＤＭＡシステム。
【請求項３】
前記加入者局は、
前記基地局から伝送されたダウンリンクフレームを前記各加入者局自体の周波数オフセットで補償することを特徴とする請求項１に記載のＯＦＤＭＡシステム。
【請求項４】
前記各加入者局は、
前記ダウンリンクフレームに補償された周波数オフセットだけ前記アップリンクフレームを補償することを特徴とする請求項３に記載のＯＦＤＭＡシステム。
【請求項５】
基地局から提供される周波数オフセット制御信号のオン／オフにより、多数個の加入者局それぞれから発生するアップリンクフレームの周波数オフセットを選択的に補償するステップと、
前記各加入局から前記アップリンクフレームを前記基地局に伝送するステップとを備えることを特徴とするＯＦＤＭＡシステムの周波数オフセット制御方法。
【請求項６】
前記周波数オフセット制御信号は、
前記基地局から前記加入者局に伝送されたダウンリンクフレームに含まれることを特徴とする請求項５に記載のＯＦＤＭＡシステムの周波数オフセット制御方法。
【請求項７】
前記ＯＦＤＭＡシステムの周波数オフセット制御方法は、
前記基地局で前記アップリンクフレームを検出するステップと、
前記アップリンクフレームのプリアンブルから、周波数オフセットを平均した中間周波数オフセットを推定して補償するステップとをさらに備えることを特徴とする請求項５に記載のＯＦＤＭＡシステムの周波数オフセット制御方法。
【請求項８】
基地局で周波数オフセット制御信号を内在したダウンリンクフレームを発生させ、各加入者局に伝送するステップと、
前記各加入者局で前記ダウンリンクフレームを検出し、前記各加入者局の自体周波数オフセットを推定して補償するステップと、
前記各加入者局で前記周波数オフセット制御信号を検出してアップリンクフレームを発生させるステップと、
前記各加入者局で前記周波数オフセット制御信号のオン／オフにより、前記アップリンクフレームの周波数オフセットを補償するステップとを備えることを特徴とするＯＦＤＭＡシステムの周波数オフセット制御方法。
【請求項９】
前記ＯＦＤＭＡシステムの周波数オフセット制御方法は、
前記基地局で前記アップリンクフレームを検出するステップと、
前記アップリンクフレームのプリアンブルから、周波数オフセットを平均した中間周波数オフセットを推定して補償するステップとをさらに備えることを特徴とする請求項８に記載のＯＦＤＭＡシステムの周波数オフセット制御方法。
【請求項１０】
複数の加入者局と、
基地局とを備え、
前記加入者局それぞれは、
送信するデータに自体周波数オフセットを補償する周波数補償部と、
アップリンクフレームを構成するフレーム構成部と、
前記アップリンクフレームを伝送するフレーム伝送部とを備え、
前記基地局は、
前記アップリンクフレームを受信するフレーム受信部と、
前記アップリンクフレームに中間周波数オフセットを補償する周波数オフセット部とを備えることを特徴とするＯＦＤＭＡシステム。
【請求項１１】
前記中間周波数オフセットは、
前記加入者局から伝送された前記アップリンクフレームの周波数オフセットを平均することにより得られることを特徴とする請求項１０に記載のＯＦＤＭＡシステム。
【請求項１２】
前記加入者局は、
前記基地局から伝送されたダウンリンクフレームに含まれた周波数オフセット制御信号に応答し、前記加入者局の周波数オフセットを前記アップリンクフレームに補償することを特徴とする請求項１０に記載のＯＦＤＭＡシステム。
【請求項１３】
前記加入者局は、
前記基地局から伝送されるダウンリンクフレームを前記加入者局の周波数オフセットだけ補償することを特徴とする請求項１０に記載のＯＦＤＭＡシステム。
【請求項１４】
前記加入者局は、
前記ダウンリンクフレームに補償された周波数オフセットだけ前記アップリンクフレームにも補償することを特徴とする請求項１３に記載のＯＦＤＭＡシステム。
【請求項１５】
前記周波数オフセット制御信号は、周波数オフセット制御方法により応答し、
前記周波数オフセット制御方法は、
前記基地局から提供される前記周波数オフセット制御信号に応答し、多数個の加入者局によりそれぞれ発生した前記アップリンクフレームの周波数オフセットを選択的に補償するステップと、
各加入者局が前記アップリンクフレームを前記基地局に伝送するステップとを備えることを特徴とする請求項１２に記載のＯＦＤＭＡシステム。
【請求項１６】
前記周波数オフセット制御信号は、
前記基地局から前記加入者局に伝送されるダウンリンクフレームに含まれることを特徴とする請求項１５に記載のＯＦＤＭＡシステム。
【請求項１７】
前記周波数オフセット制御方法は、
前記基地局で前記アップリンクを検出するステップと、
前記アップリンクフレームのプリアンブルから周波数オフセットを平均することにより得られる中間周波数オフセットを推定するステップと、
前記中間周波数オフセットを補償するステップとを備えることを特徴とする請求項１５に記載のＯＦＤＭＡシステム。
【請求項１８】
前記周波数オフセット制御信号に応答する周波数オフセット制御方法は、
前記周波数オフセット制御信号を含むダウンリンクフレームを発生させ、前記ダウンリンクフレームを各加入者局に伝送するステップと、
前記ダウンリンクフレームを検出し、前記ダウンリンクフレームの周波数オフセットを推定し、前記周波数オフセットを補償するステップと、
前記周波数オフセット制御信号を検出し、アップリンクフレームを発生させるステップと、
前記周波数オフセット制御信号に応答し、前記アップリンクフレームの周波数オフセットを補償するステップとを備えることを特徴とする請求項１２に記載のＯＦＤＭＡシステム。
【請求項１９】
前記ダウンリンクフレームを発生させるステップは、前記基地局でなされ、
前記ダウンリンクフレームを検出するステップは、前記各加入者局でなされ、
前記周波数オフセット制御信号を検出するステップは、前記各加入者局でなされ、
前記アップリンクフレームの周波数オフセットを補償するステップは、前記各加入者局でなされることを特徴とする請求項１８に記載のＯＦＤＭＡシステム。
【請求項２０】
前記周波数オフセット制御方法は、
前記基地局で前記アップリンクフレームを検出するステップと、
中間周波数オフセットを補償するために、前記アップリンクフレームのプリアンブルから周波数オフセットを平均することにより得られる前記中間周波数オフセットを推定するステップとを備えることを特徴とする請求項１８に記載のＯＦＤＭＡシステム。
【発明の詳細な説明】
【技術分野】
【０００１】
本発明は、デジタル通信に係り、特にアップリンク通信時にアクセスユーザの周波数オフセットを制御する直交周波数分割多重接続（ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）システム及び周波数オフセット制御方法に関する。
【背景技術】
【０００２】
最近、無線帯域幅の広域化により、ＩＥＥＥ ８０２．１６ａのようなワイヤレスＭＡＮ（Ｍｅｔｒｏｐｏｌｉｔａｎ Ａｒｅａ Ｎｅｔｗｏｒｋ）規格と、Ｆｌａｒｉｏｎ社のｆｌａｓｈ−ＯＦＤＭのような広域移動インターネット接続網とでは、ＯＦＤＭＡが新しい多重接続方式として考慮されている。ＯＦＤＭＡ方式は、既存の一般的なＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）システム（例えば、ＩＥＥＥ ８０２．１１ａ）よりも多数の副搬送波を使用しつつ、副搬送波の一部を１つの集合として構成された副チャンネルをユーザ別に割り当てる方式であり、時間及び周波数領域で、二次元的な資源割り当てが可能である。また、多数の副搬送波を使用することにより、高速伝送で要求される長い保護区間によるオーバーヘッドを減らすことができるだけではなく、一部副搬送波に対して電力を集中できるので、効率的な制御とサービス領域の拡張とが可能である。
【０００３】
図１は、ＯＦＤＭＡシステムの多重接続通信環境を説明する図である。これを参照すると、１つのセルには、１個の基地局（ＢＳ：Ｂａｓｅ Ｓｔａｔｉｏｎ）と、複数のアクセスユーザを意味する加入者局（ＳＳ：Ｓｕｂｓｃｒｉｂｅｒ Ｓｔａｔｉｏｎ）とを含み、ＳＳは、ＢＳを介して通信データを送受信する。ＢＳからＳＳに送る方向をダウンリンクといい、反対にＳＳからＢＳに送る方向をアップリンクという。
【０００４】
図２は、ＯＦＤＭＡ環境のフレーム構造を説明する図である。ダウンリンクフレームで、ＢＳは、１個のフレームに多数個のＳＳに送るデータを含めて送り、このフレームを受けたＳＳそれぞれは、自体に割り当てられたデータだけを復元して処理する。ダウンリンクフレームが終われば、各ＳＳは、ＢＳにデータを伝送するが、これをアップリンクフレームという。アップリンクフレームで、ＳＳは、割り当てられた副チャンネルまたは副搬送波を介してアップリンクデータを送信する。各ＳＳから送信されるアップリンクフレームは、時間的に正確に合うようにＢＳに着くことが要求される。
【０００５】
具体的に、図２で、ダウンリンクフレーム及びアップリンクフレームの最初は、プリアンブルから始まる。プリアンブルは、受信機が受信信号を検出して復元するために処理される部分である。ダウンリンクフレームのヘッダには、フレームの構成情報が含まれており、ダウンリンクマップには、ダウンリンクフレームのデータ部分がどのＳＳに受信されるかについての情報が保存され、アップリンクマップには、ダウンリンクフレーム後にフォローして来るアップリンクフレームを介し、どのＳＳにどれほどの副チャンネルを割り当てるかについての情報が定義されている。
【０００６】
図３は、ダウンリンク通信環境を説明する図面である。これを参照すると、ＢＳのＢＢＰ（Ｂａｓｅ Ｂａｎｄ Ｐｒｏｃｅｓｓｏｒ）３１０で、図２のダウンリンクフレームを変調させ、変調されたダウンリンクフレームをキャリア周波数ｆｃに載せ、各ＳＳのＢＢＰ３２０，３３０，３４０に伝送する。各ＳＳのＢＢＰ３２０，３３０，３４０の受信端は、変調されたダウンリンクフレームを受信してこれを復調する。各ＳＳのＢＢＰ３２０，３３０，３４０は、当該受信端の有する自体周波数オフセットΔｆ0,1，Δｆ0,2及びΔｆo,Mだけ位相がシフトされたダウンリンクフレームを受信する。これにより、各ＳＳのＢＢＰ３２０，３３０，３４０の受信端は、周波数オフセット推定器３２１，３３１，３４１を介して当該周波数オフセットを推定し、これを受信されたダウンリンクフレームから差し引く。この後、周波数オフセットの補償されたダウンリンクフレームがモデム３２２，３３２，３４２により信号処理される。
【０００７】
一方、図４のアップリンク通信環境について述べれば、各ＳＳのＢＢＰ３２０，３３０，３４０で処理されたデータが各ＳＳのＢＢＰ３２０，３３０，３４０の送信端でキャリア周波数ｆｃに載せてＢＳのＢＢＰ３１０に伝送される。このとき、各ＳＳのＢＢＰ３２０，３３０，３４０の送信端は、当該送信端が有する自体周波数オフセットΔｆ0,1，Δｆ0,2及びΔｆo,Mだけ位相がシフトされたデータを送信する。ＢＳのＢＢＰ３１０は、かかるアップリンクフレームを受信し、周波数オフセット推定器３１１を介してそれらの平均的な周波数オフセットΔｆ0,BSを求め、受信されたアップリンクフレームから平均的な周波数オフセットΔｆ0,BSを差し引くことにより、平均的な周波数オフセットが補償されたアップリンクフレームを信号処理する。
【０００８】
ところで、アップリンクフレームを受信したＢＳ３１０で、各ＳＳ３２０，３３０，３４０から送られた信号の信号星座に注意すれば、ＢＳ３１０での平均的な周波数オフセット補償方法が通信性能を低下させるということが分かる。例えば、４個のＳＳからＢＳにアップリンクフレームを伝送し、これをＢＳで復元した結果が図５に図示されている。まず、第１及至第３ ＳＳ ＳＳ１，ＳＳ２，ＳＳ３の周波数オフセットを０とし、第４ ＳＳ ＳＳ４の周波数オフセットを副搬送波間隔の０．０５倍に設定し、ＢＰＳＫ（Ｂｉｎａｒｙ Ｐｈａｓｅ Ｓｈｉｆｔ Ｋｅｙｉｎｇ）信号でアップリンクフレームを送ったと仮定する。そして、１つのフレームは、１５ ＯＦＤＭシンボル長を有するようにした。
【０００９】
図５を参照すると、ＢＳは、アップリンクフレームのプリアンブルを利用して周波数オフセットを推定したが、その中間値を推定したために、実際にモードＳＳの送信信号に影響を及ぼしている。特に、第４ ＳＳ ＳＳ４に関わる受信値は、周波数オフセットが大きく、シンボルごとに受信値が位相回転していることが分かる。すなわち、アップリンク時に、各ＳＳの周波数オフセットが正確に補償されずに、相互キャリア干渉現象が発生して通信性能を落とし、最大通信伝送率を下げているという問題点が生じる。
従って、アップリンク通信時に各ＳＳの周波数オフセットを正確に補償できるＯＦＤＭＡシステム及びその周波数オフセット補償方法が必要である。
【発明の開示】
【発明が解決しようとする課題】
【００１０】
本発明の目的は、アップリンク時に各ＳＳの周波数オフセットを正確に補償できるＯＦＤＭＡシステムを提供することにある。
本発明の他の目的は、ＯＦＤＭＡシステムでの周波数オフセット補償方法を提供することにある。
【課題を解決するための手段】
【００１１】
前記目的を達成するために、本発明のＯＦＤＭＡシステムは、基地局に送信するデータの自体周波数オフセットを補償して基地局にアップリンクフレームを伝送する複数の加入者局と、加入者局から伝送されたアップリンクフレームの周波数オフセットを平均した中間周波数オフセットをアップリンクフレームに補償する基地局とを含む。加入者局は、基地局から伝送されたダウンリンクフレームに含まれた周波数オフセット制御信号に応答し、アップリンクフレームに自体周波数オフセットを補償する。
【００１２】
望ましくは、各加入者局は、基地局から伝送されたダウンリンクフレームを各加入者局自体の周波数オフセットで補償し、ダウンリンクフレームに補償された周波数オフセットだけアップリンクフレームを補償する。
【００１３】
前記他の目的を達成するために、本発明の一態様によるＯＦＤＭＡシステムのアップリンク時の周波数オフセット制御方法は、基地局から提供される周波数オフセット制御信号のオン／オフにより、複数の加入者局それぞれから発生するアップリンクフレームの周波数オフセットを選択的に補償するステップと、各加入局からアップリンクフレームを基地局に伝送するステップと、基地局で前記アップリンクフレームを検出するステップと、アップリンクフレームのプリアンブルから周波数オフセットを平均した中間周波数オフセットを推定して補償するステップとを含む。
【００１４】
前記他の目的を達成するために、本発明の他の一態様によるＯＦＤＭＡシステムの周波数オフセット制御方法は、基地局で周波数オフセット制御信号を内在したダウンリンクフレームを発生させて各加入者局に伝送するステップと、各加入者局でダウンリンクフレームを検出して各加入者局の自体周波数オフセットを推定して補償するステップと、各加入者局で周波数オフセット制御信号を検出してアップリンクフレームを発生させるステップと、各加入者局で周波数オフセット制御信号のオン／オフによりアップリンクフレームの周波数オフセットを補償するステップと、基地局でアップリンクフレームを検出するステップと、アップリンクフレームのプリアンブルから周波数オフセットを平均した中間周波数オフセットを推定して補償するステップとを含む。
【発明の効果】
【００１５】
本発明のＯＦＤＭＡシステムは、各加入者局で一次的に自体周波数オフセットを補償し、周波数オフセットシフト程度の小さいアップリンクフレームで二次的に平均周波数オフセットを補償するために、アップリンク時に各ＳＳの周波数オフセットが正確に補償されて相互キャリア干渉現象が防止される。
【発明を実施するための最良の形態】
【００１６】
本発明と本発明の動作上の利点、及び本発明の実施により達成され目的を十分に理解するためには、本発明の望ましい実施形態を例示する添付図面及び添付図面に記載された内容を参照しなければならない。
以下、添付した図面を参照し、本発明の望ましい実施形態を説明することにより、本発明を詳細に説明する。各図面に付された同一参照符号は同一部材を表わす。
【００１７】
図６は、本発明の一実施形態によるＯＦＤＭＡシステムを説明する図である。これを参照すると、ＯＦＤＭＡシステム６００は、前述の図３で、ダウンリンク時にダウンリンクフレームのプリアンブルから各加入者局の周波数オフセットを推定して補償する方法をアップリンク時にも適用しようとするものである。各加入者局ＳＳ１，ＳＳ２，ＳＳＭは、受信端３２０，３３０，３４０（図３）で、基地局３１０（図３）から伝送されたダウンリンクフレームを受信する時に、周波数オフセット推定器３２１，３３１，３４１（図３）により推定された当該加入者局の自体周波数オフセットを送信端６２０，６３０，６４０に使用する。
【００１８】
各加入者局ＳＳ１，ＳＳ２，ＳＳＭの送信端６２０，６３０，６４０は、基地局３１０にデータを伝送する時、受信端の周波数オフセット推定器３２１，３３１，３４１（図３）により推定された周波数オフセット
【００１９】
【数１】
2006020320.tif 000003
を補償して伝送する。基地局３１０は、各加入者局ＳＳ１，ＳＳ２，ＳＳＭから受信したキャリア周波数ｆｃのアップリンクフレームのプリアンブルから周波数オフセット推定器３１１により周波数オフセットの中間値、すなわち平均値
【００２０】
【数２】
2006020320.tif 000004
を求める。これにより、基地局３１０は、各加入者局ＳＳ１，ＳＳ２，ＳＳＭの送信端６２０，６３０，６４０で一次的に自体周波数オフセットを補償して周波数オフセットシフト程度の小さなアップリンクフレームで二次的に平均周波数オフセットを補償するために、アップリンク時に各ＳＳの周波数オフセットが正確に補償される。
【００２１】
一方、周波数オフセット補償原理は、次の通りである。
一般的に、通信信号は、数式１のように直交座標形式の複素信号で表現される。すなわち、複素信号ｓは、実数部ｘと虚数部ｙとから構成される。
【００２２】
【数３】
2006020320.tif 000005
複素信号ｓの他の表記法は、極座標形式であり、数式２のように表現される。
【００２３】
【数４】
2006020320.tif 000006
直交座標形式と極座標形式は、次のような関係が成立する。
【００２４】
【数５】
2006020320.tif 000007
一方、複素信号ｓに周波数オフセット△ｆが存在するとき、その結果は次の通りである。
【００２５】
【数６】
2006020320.tif 000008
【００２６】
すなわち、受信信号ｒは、複素信号ｓが周波数オフセット△ｆと時間変数ｔとにより、その位相が回転された状態で受信される。
数式４で、
【００２７】
【数７】
2006020320.tif 000009
は、次の通りである。
【００２８】
【数８】
2006020320.tif 000010
【００２９】
受信機は、周波数オフセットΔfを推定し、信号に周波数オフセットにより戻った位相を逆転しなければならないので、これが周波数オフセット補償である。
かかる原理を基に、直交座標形式の信号に対する周波数オフセット補償方法は、受信信号ｒを
【００３０】
【数９】
2006020320.tif 000011
だけ逆回転させて通信信号ｓを得る。
【００３１】
【数１０】
2006020320.tif 000012
数式６に数式５を代入すれば、
【００３２】
【数１１】
2006020320.tif 000013
になる。ここで、受信信号ｒは、実数部ｘ’と虚数部ｙ’とから構成されると仮定する。
数式７を整理すれば、
【００３３】
【数１２】
2006020320.tif 000014
になる。従って、受信信号ｒから周波数オフセット△ｆを補償して元来の複素信号ｓを得る。これを実現する周波数オフセット補償器が図７に図示されている。
【００３４】
一方、数式２で表示される極座標形式の信号に対する周波数オフセット補償は、次の通りである。
【００３５】
【数１３】
2006020320.tif 000015
【００３６】
従って、複素信号ｓは、受信信号ｒから位相項だけ差し引けばよい。これを実現する周波数オフセット補償器が図８に図示されている。
【００３７】
図９は、本発明のＯＦＤＭＡシステムを利用し、図５と同じ条件で、すなわち４個のＳＳ ＳＳ１，ＳＳ２，ＳＳ３，ＳＳ４からＢＳにアップリンクフレームを伝送し、これをＢＳで復元した結果を表わす。これを参照すると、それぞれのＳＳ ＳＳ１，ＳＳ２，ＳＳ３，ＳＳ４の周波数オフセットを０，０，０、副搬送波間隔の０．０５倍に設定した状態で、各ＳＳ ＳＳ１，ＳＳ２，ＳＳ３，ＳＳ４からＢＰＳＫ信号でアップリンクフレームを送れば、ＢＳでそれぞれのＳＳ ＳＳ１，ＳＳ２，ＳＳ３，ＳＳ４に対する受信値をいずれもＢＰＳＫの信号星座に復元する。
【００３８】
図１０は、本発明のＯＦＤＭＡシステムの１つの性能であるＳＮＲ（Ｓｉｇｎａｌ ｔｏ Ｎｏｉｓｅ Ｒａｔｉｏ）対応ＢＥＲ（Ｂｉｔ Ｅｒｒｏｒ Ｒａｔｅ）特性を示す図面であり、図５と同じ条件でノイズ環境を追加してコンピュータシミュレーションした結果である。
【００３９】
図１０Ａは、ダウンリンク性能であり、各ＳＳがダウンリンクフレームを受信して自体に割り当てられたデータを復元した後、ビットエラーを検査した結果である。各ＳＳの後の（１）は、図３のような従来のＯＦＤＭＡシステム３００での性能を、そして各ＳＳの後の（２）は、本発明の性能を示し、全体的に同じ性能を示す。図１０Ｂは、アップリンク性能であり、従来の場合、ＳＳ４の性能が極度に低下し、ＳＳ１、ＳＳ２、ＳＳ３は、ＳＳ４の周波数オフセットの影響を受けて性能が低下するということが分かる。しかし、本発明の場合、４個のＳＳについてＢＳで受信した性能はほとんど同じであるということが分かる。
【００４０】
図１１は、本発明のＯＦＤＭＡシステムでの周波数オフセット補償方法を説明する動作フローチャートである。これを参照すると、ダウンリンク時、ＢＳで周波数オフセット制御信号を内在したダウンリンクフレームを発生させて（１１０１）、ダウンリンクフレームを各ＳＳに伝送する（１１０２）。各ＳＳでは、ダウンリンクフレームを検出し（１１１１，１１１２）、ダウンリンクフレームのプリアンブルから各ＳＳの周波数オフセットを推定して補償した後（１１１３）、ヘッダ、ＤＬ＿ＭＡＰ、ＵＰ＿ＭＡＰ、バーストデータなど、ダウンリンクフレームに含まれた当該データを処理する（１１１４）。
【００４１】
アップリンク時、各ＳＳでは、周波数オフセット制御信号を検出してアップリンクフレームを発生させる（１１１５）。周波数オフセット制御信号がオン（ｏｎ）、すなわち活性化状態ならば（１１１６）、アップリンクフレームに当該ＳＳの周波数オフセットだけ補償し（１１１７）、アップリンクフレームをＢＳに伝送する（１１１８）。ＢＳ側では、アップリンクフレームを検出し（１１０３，１１０４）、アップリンクフレームのプリアンブルから中間周波数オフセットを推定して補償した後（１１０５）、アップリンクフレームを信号処理する（１１０６）。
【００４２】
本発明は、図面に図示された一実施形態を参考にして説明されたが、それは例示的なもに過ぎず、本技術分野の当業者ならば、それらから多様な変形及び均等な他実施形態が可能であるという点が理解できるであろう。従って、本発明の真の技術的保護範囲は、特許請求範囲の技術的思想により決まるものである。
【産業上の利用可能性】
【００４３】
本発明は、デジタル通信分野に効果的に適用可能である。
【図面の簡単な説明】
【００４４】
【図１】ＯＦＤＭＡシステムの多重接続通信環境を説明する図である。
【図２】ＯＦＤＭＡ環境のフレーム構造を説明する図である。
【図３】ＯＦＤＭＡのダウンリンク通信環境を説明する図である。
【図４】ＯＦＤＭＡのアップリンク通信環境を説明する図である。
【図５】図４において、アップリンク時に、ＢＳで各ＳＳから送られた信号の信号星座を説明する図である。
【図６】本発明の一実施形態によるアップリンク通信時の事前周波数オフセット補償機能を有するＯＦＤＭＡシステムを説明する図である。
【図７】図６のＯＦＤＭＡシステムに採用される周波数オフセット補償器の一例を説明する図である。
【図８】図６のＯＦＤＭＡシステムに採用される周波数オフセット補償器の他例を説明する図である。
【図９】図６のＯＦＤＭＡシステムを利用した、アップリンク時にＢＳで各ＳＳから送られた信号の信号星座を説明する図である。
【図１０Ａ】図４と図６のＢＥＲ性能を比較したグラフである（ダウンリンク）。
【図１０Ｂ】図４と図６のＢＥＲ性能を比較したグラフである（アップリンク）。
【図１１】本発明のＯＦＤＭＡシステムを利用した周波数オフセット補償方法を説明する動作フローチャートである。
【符号の説明】
【００４５】
３１０    基地局
３１１，３２１，３３１，３４１    周波数オフセット推定器
６００    ＯＦＤＭＡシステム
６２０，６３０，６４０    送信端
ＳＳ１，ＳＳ２，ＳＳＭ    加入者局
【図１】
2006020320.tif 000016
【図２】
2006020320.tif 000017
【図３】
2006020320.tif 000018
【図４】
2006020320.tif 000019
【図５】
2006020320.tif 000020
【図６】
2006020320.tif 000021
【図７】
2006020320.tif 000022
【図８】
2006020320.tif 000023
【図９】
2006020320.tif 000024
【図１０Ａ】
2006020320.tif 000025
【図１０Ｂ】
2006020320.tif 000026
【図１１】
2006020320.tif 000027